(57)【要約】      （修正有）【課題】大判のネイルシールから自分の好きなデザインの部分のみを、自分の爪のサイズに適合する大きさだけカッティングして自爪に簡単に装着できるようにする。【解決手段】Ｕ字状の曲線部１１と、前記曲線部１１の両端を結ぶ直線部１２とで区画された穿孔部１０を複数備えたネイルシール用テンプレートＴであって、前記複数の穿孔部１０は、その直線部１２の長さＷ１がそれぞれ異なっており、かつ、前記複数の穿孔部１０は、前記直線部１２が前記テンプレートＴの長手方向に延びるとともに前記曲線部１１が前記長手方向を横断する方向に突出する状態で列をなして配置されているネイルシール用テンプレートＴ、及び、該テンプレートＴの穿孔部１０をゲージ部に変更したネイル用サイズゲージを提供する。ゲージ部は穿孔部１０であっても、透明部又は半透明部であってもよい。【選択図】図１
2015066185.tif 000002
【特許請求の範囲】
【請求項１】
Ｕ字状の曲線部（１１）と、前記曲線部（１１）の両端を結ぶ直線部（１２）とで区画された穿孔部（１０）を複数備えたネイルシール用テンプレート（Ｔ）であって、前記複数の穿孔部（１０）は、その直線部（１２）の長さ（Ｗ１）がそれぞれ異なっており、かつ、前記複数の穿孔部（１０）は、前記直線部（１２）が前記テンプレート（Ｔ）の長手方向に延びるとともに前記曲線部（１１）が前記長手方向を横断する方向に突出する状態で列をなして配置されていることを特徴とするネイルシール用テンプレート。
【請求項２】
前記複数の穿孔部（１０）の前記曲線部（１１）の先端は、前記テンプレート（Ｔ）の一方の側縁（１３，１４）から同じ距離（Ｌ２）だけ内方に離隔している請求項１に記載のネイルシール用テンプレート。
【請求項３】
前記曲線部（１１）を前記テンプレート（Ｔ）の一方の側縁（１３）に向けた穿孔部（１０）の列と、前記曲線部（１１）を前記テンプレート（Ｔ）の他方の側縁（１４）に向けた穿孔部（１０）の列との２つの列を備えている請求項１又は２に記載のネイルシール用テンプレート。
【請求項４】
前記直線部（１２）の長さ（Ｗ１）は、８〜２１ｍｍである請求項１〜３の何れか１項に記載のネイルシール用テンプレート。
【請求項５】
前記Ｕ字状の曲線部（１１）の突出長さ（Ｌ１）は、前記直線部（１２）の長さ（Ｗ１）が８〜１１．５ｍｍの場合は１２〜１６．５ｍｍであり、前記直線部（１２）の長さ（Ｗ１）が１１．５〜１５．５ｍｍの場合は１６．５〜１９ｍｍであり、前記直線部（１２）の長さ（Ｗ１）が１５．５〜２１ｍｍの場合は１９〜２２ｍｍである請求項４に記載のネイルシール用テンプレート。
【請求項６】
Ｕ字状の曲線部（２１）と、前記曲線部（２１）の両端を結ぶ直線部（２２）とで区画されたゲージ部（２０）を複数備えたネイル用サイズゲージ（Ｇ１，Ｇ２）であって、前記複数のゲージ部（２０）は、その直線部（２２）の長さ（Ｗ１）がそれぞれ異なっており、かつ、前記複数のゲージ部（２０）は、前記直線部（２２）が前記サイズゲージ（Ｇ１，Ｇ２）の長手方向に延びるとともに前記曲線部（２１）が前記長手方向を横断する方向に突出する状態で列をなして配置されていることを特徴とするネイル用サイズゲージ。
【請求項７】
前記複数のゲージ部（２０）の前記曲線部（２１）の先端は、前記サイズゲージ（Ｇ１，Ｇ２）の一方の側縁（２３，２４）から同じ距離（Ｌ２）だけ内方に離隔しているか、または、前記サイズゲージ（Ｇ１，Ｇ２）の一方の側縁（２３，２４）から同じ距離（Ｌ３）だけ外方に突出している、請求項６に記載のネイル用サイズゲージ。
【請求項８】
前記曲線部（２１）を前記サイズゲージ（Ｇ１，Ｇ２）の一方の側縁（２３）に向けたゲージ部（２０）の列と、前記曲線部（２１）を前記サイズゲージ（Ｇ１，Ｇ２）の他方の側縁（２４）に向けたゲージ部（２０）の列との２つの列を備えている請求項６又は７に記載のネイル用サイズゲージ。
【請求項９】
前記直線部（２２）の長さ（Ｗ１）は、８〜２１ｍｍである請求項６〜８の何れか１項に記載のネイル用サイズゲージ。
【請求項１０】
前記Ｕ字状の曲線部（２１）の突出長さ（Ｌ１）は、前記直線部（２２）の長さ（Ｗ１）が８〜１１．５ｍｍの場合は１２〜１６．５ｍｍであり、前記直線部（２２）の長さ（Ｗ１）が１１．５〜１５．５ｍｍの場合は１６．５〜１９ｍｍであり、前記直線部（２２）の長さ（Ｗ１）が１５．５〜２１ｍｍの場合は１９〜２２ｍｍである請求項９に記載のネイル用サイズゲージ。
【請求項１１】
前記ゲージ部（２０）が穿孔部又は半透明もしくは透明部である請求項６〜１０の何れか１項に記載のネイル用サイズゲージ。
【請求項１２】
請求項１〜５の何れか１項に記載のネイルシール用テンプレート（Ｔ）及び請求項６〜１１の何れか１項に記載のネイル用サイズゲージ（Ｇ１，Ｇ２）の少なくとも一つ、及び、ネイルシールを含むことを特徴とするネイルシール作成キット。
【発明の詳細な説明】
【技術分野】
【０００１】
本発明は、自爪にジャストフィットするネイルシールの作成を容易にするネイルシール用テンプレート及びネイル用サイズゲージ、並びに、これらのテンプレート及びサイズゲージを備えたネイルシール作成キットに関する。
【背景技術】
【０００２】
従来のネイルシールとしては、塩化ビニール等の材質に色々な図柄、模様等のデザインを印刷し、裏面に接着剤をつけて、爪に貼り付けることができるようにされたものが知られている。このようなネイルシールは、一般に、楕円形状、釣鐘形状等で提供されており、自爪よりも幾分長いものを選び、これを自爪に貼り付けた後、先端から突出する部分を爪やすりや爪切りでトリミングすることで装着される（特許文献１〜４）。
【０００３】
従来のネイルシールは、Ｓ・Ｌ・Ｍ等の各種サイズにカッティングした状態で販売されていたり（特許文献１）、爪の幅及び爪の生え際の形状に基づき変化させた複数の爪パターンを同梱したセットとして販売されていたりする（特許文献２）。爪のサイズは人により様々であるが、上記セットは、２０〜３０種類の異なるサイズにカッティングされた爪パターンを用意しているので、その中から自分の５本の指の爪に適合するサイズの爪パターンを選択して使用できるように構成されている（特許文献２）。
【０００４】
しかし、楕円形状、釣鐘形状等の従来のネイルシールは、自爪の先端から突出する部分は最終的にトリミングされてしまうので、ネイルシール全体のデザインのうち爪元側のデザインしか自爪に反映されず、貼る前と貼った後でデザインの印象が大きく異なることがある。
【０００５】
また、各種のサイズにカッティングされた複数の爪パターンが同梱されているセットの場合、自爪より小さな爪パターンは使用されずに廃棄されることが多く、また、自爪より大きい爪パターンは使用時に多くの部分をトリミングしなければならず、無駄が多いという欠点があった。
【先行技術文献】
【特許文献】
【０００６】
【特許文献１】実開平１−６２７０５号公報
【特許文献２】特開平９−３２２８１８号公報
【特許文献３】実開昭５７−４８８０３号公報
【特許文献４】実開昭６３−３０１９８号公報
【発明の概要】
【発明が解決しようとする課題】
【０００７】
本発明は、従来の予めカッティングされたネイルシールの欠点に鑑み、大判のネイルシールから自分の好きなデザインの部分のみを、自分の爪のサイズに適合する大きさだけカッティングして自爪に簡単に装着できるようにすることを目的とする。
【課題を解決するための手段】
【０００８】
本発明者は、上記目的を達成すべく鋭意研究を重ねた結果、寸法の異なる特定形状の穿孔部を複数備えたネイルシール用テンプレートであって当該複数の穿孔部を特定の形態で配列したもの、又は、寸法の異なる特定形状のゲージ部を複数備えたネイル用サイズゲージであって当該複数のゲージ部を特定の形態で配列したものを提供することにより、本発明の目的を達成できることを見出し、本発明を完成するに至った。
【０００９】
かくして、本発明の第一の局面によれば、Ｕ字状の曲線部（１１）と、前記曲線部（１１）の両端を結ぶ直線部（１２）とで区画された穿孔部（１０）を複数備えたネイルシール用テンプレート（Ｔ）であって、前記複数の穿孔部（１０）は、その直線部（１２）の長さ（Ｗ１）がそれぞれ異なっており、かつ、前記複数の穿孔部（１０）は、前記直線部（１２）が前記テンプレート（Ｔ）の長手方向に延びるとともに前記曲線部（１１）が前記長手方向を横断する方向に突出する状態で列をなして配置されていることを特徴とするネイルシール用テンプレートが提供される。
【００１０】
また、本発明の第二の局面によれば、Ｕ字状の曲線部（２１）と、前記曲線部（２１）の両端を結ぶ直線部（２２）とで区画されたゲージ部（２０）を複数備えたネイル用サイズゲージ（Ｇ１，Ｇ２）であって、前記複数のゲージ部（２０）は、その直線部（２２）の長さ（Ｗ１）がそれぞれ異なっており、かつ、前記複数のゲージ部（２０）は、前記直線部（２２）が前記サイズゲージ（Ｇ１，Ｇ２）の長手方向に延びるとともに前記曲線部（２１）が前記長手方向を横断する方向に突出する状態で列をなして配置されていることを特徴とするネイル用サイズゲージが提供される。
【００１１】
また、本発明の第三の局面によれば、上記本発明のネイルシール用テンプレート（Ｔ）及び上記本発明のネイル用サイズゲージ（Ｇ１，Ｇ２）の少なくとも一つ、及び、ネイルシールを含むことを特徴とするネイルシール作成キットが提供される。
【発明の効果】
【００１２】
本発明によれば、Ｕ字状の曲線部（１１）と直線部（１２）とで区画された略釣鐘形状の穿孔部（１０）を複数形成したネイルシール用テンプレート（Ｔ）であって、それぞれの穿孔部（１０）の直線部（１２）の長さが異なるものを提供したので、ネイルシールを貼ろうとする爪の寸法に最も適合する穿孔部（１０）を容易に選択でき、この穿孔部（１０）をテンプレートとして大判のネイルシールから自分の好きなデザインの部分のみを、自分の爪のサイズに適合する大きさだけカッティングして自爪に簡単に装着できる。
【００１３】
また、本発明のネイルシール用テンプレートは、上記複数の穿孔部（１０）が、爪元に適合する曲線部（１１）をテンプレートの長手方向を横断する方向に突出する状態で列をなして配置されているので、曲線部（１１）を爪元に向けてテンプレートの側縁を爪に対して左右に相対的に移動させるだけで、所望の爪に最も適合する穿孔部（１０）を容易に選択することができる。同様の効果は、穿孔部（１０）をゲージ部（２０）に置き換えた本発明のネイル用サイズゲージでも得ることができることは言うまでもない。したがって、本発明のサイズゲージでネイルシールを貼ろうとする爪の寸法に最も適合するゲージ部（２０）を選択した後、この選択されたゲージ部（２０）と同じサイズの穿孔部（１０）を本発明のテンプレートから選択することで、この穿孔部（１０）をテンプレートとして大判のネイルシールから自分の好きなデザインの部分のみを、自分の爪のサイズに適合する大きさだけカッティングして自爪に簡単に装着できる。
【図面の簡単な説明】
【００１４】
【図１】本発明のネイルシール用テンプレートの一具体例を示す平面図である。
【図２】本発明のネイル用サイズゲージの一具体例を示す平面図である。
【図３】本発明のネイル用サイズゲージの別の具体例を示す平面図である。
【発明を実施するための最良の形態】
【００１５】
図１は、本発明のネイルシール用テンプレートＴの具体例を示す平面図であり、符号Ｔで示される長方形の平面的なシートに１４個の穿孔部１０を形成してなる。１４個の穿孔部１０は、何れも、Ｕ字状の曲線部１１と、該曲線部１１の両端を結ぶ直線部１２とで区画された釣鐘形状を有している。１４個の穿孔部１０の直線部１２は全て長さＷ１が異なり、長さＷ１が大きい順に０から１３の連続番号がテンプレート表面に付されている。一方、曲線部１１の突出長さＬ１は、番号０〜３の穿孔部、番号４〜９の穿孔部、番号１０〜１３の穿孔部で共通である。かくして、一つのシート内に様々なサイズの１４個の穿孔部１０を用意することにより、大判のネイルシールから様々なサイズの爪に適合するネイルシール片を切り出せるようにしている。図１のネイルシール用テンプレートＴにおいて、番号０〜１３の穿孔部１０の直線部１２の長さＷ１と曲線部１１の長さＬ１の代表例を示すと表１のようになる。
【００１６】
【表１】
2015066185.tif 000003
【００１７】
本発明のテンプレートにおいて、穿孔部１０の直線部１２の長さＷ１は８〜２１ｍｍであることが好ましく、９〜２０ｍｍであることがより好ましい。また、本発明において、穿孔部１０の曲線部１１の突出長さＬ１は、基本的に直線部１２の長さＷ１よりも長いことが好ましく、直線部１２の長さＷ１が８〜１１．５ｍｍの場合は１２〜１６．５ｍｍが好ましく、直線部１２の長さＷ１が１１．５〜１５．５ｍｍの場合は１６．５〜１９ｍｍが好ましく、直線部１２の長さＷ１が１５．５〜２１ｍｍの場合は１９〜２２ｍｍが好ましい。
【００１８】
本発明のテンプレートにおいて、穿孔部１０は、直線部１２がテンプレートＴの長手方向に延びるとともに曲線部１１が長手方向を横断する方向に突出する状態で列をなして配置されており、より具体的には、曲線部１１の先端がテンプレートＴの一方の側縁１３，１４に隣接するように配置されている。図１の例では、番号０〜５で示された６個の穿孔部１０の列と、番号６〜１３で示された８個の穿孔部１０の列との２つの穿孔部の列が形成されている。前者の列は、曲線部１１を一方の側縁１３に向けており、後者の列は、曲線部１１を他方の側縁１４に向けている。何れの列においても、総ての穿孔部１０は、曲線部１１の先端を、隣接する側縁１３，１４から同じ距離Ｌ２だけ内方に離隔させて配置されている。このように穿孔部１０を配置することにより、側縁１３，１４からの直線部１２の距離によって穿孔部１０の長さＬ１を容易に識別できるという利点が得られる。また、上記２つの列の何れにおいても、複数の穿孔部１０は直線部１２の長さＷ１の大きさの順に配列されており、具体的には、番号０〜５で示された６個穿孔部１０は、図の左から右に向けて長さＷ１が小さくなるように配列されており、番号６〜１３で示された８個穿孔部１０は、図の右から左に向けて長さＷ１が小さくなるように配列されている。本発明のテンプレートは、後記する図２のネイル用ゲージと同様の用途にも使用することができ、その際には、例えば、指を側縁１３，１４に沿わせて移動することにより、当該指の爪に適合する寸法の穿孔部１０を容易に選択することができる。距離Ｌ２は２〜６ｍｍが好ましく、３〜５ｍｍがより好ましい。
【００１９】
図１のネイルシール用テンプレートＴでは、穿孔部１０の輪郭である曲線部１１及び直線部１２の周囲にドットが付されている。このドットは各種色彩のネイルシールに重ねた場合でも穿孔部１０の輪郭を見やすくするために有用であり、テンプレートＴのシートと異なる色であることが好ましい。また、図１のテンプレートＴの右端の黒帯部分は、商標、商品名等を印刷する場所として使用することができる。また、本発明のテンプレートの材質は、特に制限されず、例えば、紙、プラスチック、金属等が挙げられる。
【００２０】
本発明のネイルシール用テンプレートは、例えば、次のような方法で使用できる。即ち、ネイルシールを貼ろうとする指の爪に適合する寸法の穿孔部１０を選択し、その選択した穿孔部１０をテンプレートとして、大判のネイルシールから所望のデザイン部分を切り出して、ネイルシールの接着面を爪に貼り付けることにより、容易にネイルアートを楽しむことができる。ネイルシールとしては、本発明のネイルシール用テンプレートを用いて裁断できるものであれば特に制限はなく、樹脂フィルムに装飾を施したもの等を使用することができる。
【００２１】
図２は、本発明のネイル用サイズゲージの一具体例を示す平面図であり、黒等の単色の長方形の平面的なシートに番号０〜１３で示される１４個のゲージ部２０を備えている。番号０〜１３のゲージ部２０の形状、寸法及び配列は、それぞれ、図１のテンプレートＴの番号０〜１３の穿孔部１０の形状及び寸法と同じである。すなわち、ゲージ部２０のＵ字状の曲線部２１については、穿孔部１０のＵ字状の曲線部１１についての上記記載が全て当てはまり、ゲージ部２０の直線部２２については、穿孔部１０の直線部１２についての上記記載が全て当てはまる。図１の距離Ｌ２に関する上記記載も、図２の距離Ｌ２についてそのまま当てはまる。但し、ゲージ部２０は、図１と同様に穿孔部であってもよいが、透明又は半透明部であってもよい。
【００２２】
本発明のネイル用サイズゲージＧ１は、例えば、次のような方法で使用できる。即ち、図２に示されるように、ネイルシールを貼ろうとする指３０をサイズゲージＧ１の側縁２３，２４に沿って移動させ、該指３０の幅に最も近いゲージ部２０を選択し、選択したゲージ部２０の番号と同じ番号の穿孔部１０を図１のテンプレートＴから選択し、その選択した穿孔部１０をテンプレートとして、大判のネイルシールから所望のデザイン部分を切り出して、ネイルシールの接着面を爪に貼り付けることにより、容易にネイルアートを楽しむことができる。
【００２３】
図３は、本発明のネイル用サイズゲージの他の具体例を示す平面図であり、図３のサイズゲージＧ２は、黒等の単色の平面的なシートに番号０〜１３で示される１４個のゲージ部２０を備えている点では図２のサイズゲージＧ１と同様であるが、該シートの図の右端部分が幅広に形成されており、ゲージ部２０が透明又は半透明部であり、全てのゲージ部２０のＵ字状曲線部２１の先端が上記シートの側縁２３，２４から同じ距離Ｌ３だけ外方に突出している点で、図２のサイズゲージＧ１と異なる。したがって、図３のサイズゲージＧ２を用いた場合、指３０の爪元にサイズゲージＧ２の曲線部２１の先端を容易に近接させることができるので、指３０の爪元に最も適合するサイズのゲージ部２０をより容易に選択することが可能となる。かかる選択を容易にするという観点から、距離Ｌ３は３〜９ｍｍが好ましく、４〜８ｍｍがより好ましく、５〜７ｍｍが特に好ましい。なお、ゲージ部２０のみ付け爪のようなプラスチック片から構成し、シートから着脱できるようにしても良い。本発明のネイル用サイズゲージの材質は、特に制限されず、例えば、紙、プラスチック、金属等が挙げられる。
【産業上の利用可能性】
【００２４】
本発明のネイルシール用テンプレート及びネイル用サイズゲージはそれぞれ単独でネイルアートやネイルサロンでのメイクアップに使用できる。更に、本発明によれば、上記ネイルアートやメイクアップを容易にするために、本発明のネイルシール用テンプレートと、本発明のネイル用サイズゲージと、ネイルシールとの３品を同梱したネイルシール作成キットを提供することが可能となる。また、上述のように本発明のネイルシール用テンプレートをサイズゲージとして兼用する場合は、本発明のネイルシール用テンプレートと、ネイルシールとの２品を同梱したネイルシール作成キットを提供することでもよい。
【符号の説明】
【００２５】
Ｔ  ネイルシール用テンプレート
Ｇ１、Ｇ２  ネイル用サイズゲージ
１０  穿孔部
２０  ゲージ部
１１，２１  曲線部
１２，２２  直線部
１３，２３  側縁
１４，２４  側縁
３０  指
【図１】
2015066185.tif 000004
【図２】
2015066185.tif 000005
【図３】
2015066185.tif 000006